(57)【特許請求の範囲】
【請求項１】
少なくとも３以上の奇数回１８０度方向転換し一の方向に伸びる各部の軸が一の中心軸周りに位置するように屈曲した形状の発光管と、この発光管内部の両端の各々に設けられるフィラメントと、これらのフィラメント側で前記発光管を保持するベースと、このベースに設けられて前記発光管とは逆方向に突出し、前記発光管内部の両端のフィラメントとそれぞれ電気的に接続する２組の端子と、前記発光管内部に設けられるアマルガムとを備え、前記２組の端子に対する接続が１８０度回転対称の構造になっている蛍光ランプを点灯するための蛍光ランプ用照明器具であって、前記蛍光ランプの各端子と１８０度回転対称で電気的に接続するソケットと、このソケットを介して前記蛍光ランプに点灯用の電力を供給する安定器とを備え、前記ソケットに対する前記蛍光ランプの回転状態が１８０度回転対称のいずれの回転状態であっても、前記蛍光ランプの一の中心軸への前記アマルガムの位置からの垂線の方向が前記アマルガムの温度を一定にするような方向となるように、前記ソケットは、前記蛍光ランプおよび前記垂線を水平側に倒した状態でその蛍光ランプの各端子と１８０度回転対称で電気的に接続するように配置されていることを特徴とする蛍光ランプ用照明器具。
【請求項２】
前記ソケットを複数並置し、前記安定器は、前記複数のソケットを介してこれらソケットの各々に接続された前記蛍光ランプに点灯用の電力を供給し、前記各ソケットは、前記蛍光ランプの先端側を水平方向に対し鉛直方向に所定角度傾けて、各蛍光ランプが水平側を向くようにするとともに、自己に接続された前記蛍光ランプの前記垂線を、水平方向に対し４５度またはこれよりも小さな角度だけ傾けた状態で、その蛍光ランプの各端子と１８０度回転対称で電気的に接続するように配置されていることを特徴とする請求項１記載の蛍光ランプ用照明器具。
【請求項３】
少なくとも３以上の奇数回１８０度方向転換し一の方向に伸びる各部の軸が一の中心軸周りに位置するように屈曲した形状の発光管と、この発光管内部の両端の各々に設けられるフィラメントと、これらのフィラメント側で前記発光管を保持するベースと、このベースに設けられて前記発光管とは逆方向に突出し、前記発光管内部の両端のフィラメントとそれぞれ電気的に接続する２組の端子と、前記発光管内部に設けられるアマルガムとを備え、前記２組の端子に対する接続が１８０度回転対称の構造になっている蛍光ランプを点灯するための蛍光ランプ用照明器具であって、２つ並置されて前記蛍光ランプの各端子と１８０度回転対称で電気的に接続するソケットと、前記２つのソケットを介してこれらソケットの各々に接続された前記蛍光ランプに点灯用の電力を供給する安定器とを備え、前記ソケットに対する前記蛍光ランプの回転状態が１８０度回転対称のいずれの回転状態であっても、前記蛍光ランプの一の中心軸への前記アマルガムの位置からの垂線の方向が前記アマルガムの温度を一定にするような方向となるように、前記各ソケットは、前記蛍光ランプを鉛直側に起こした状態で、かつ各ソケットに接続された前記蛍光ランプの前記垂線がそれら蛍光ランプの各中心軸を結ぶ線に対して直交方向の側を向く状態で、自己に接続された前記蛍光ランプの各端子と１８０度回転対称で電気的に接続するように配置されていることを特徴とする蛍光ランプ用照明器具。
【請求項４】
少なくとも３以上の奇数回１８０度方向転換し一の方向に伸びる各部の軸が一の中心軸周りに位置するように屈曲した形状の発光管と、この発光管内部の両端の各々に設けられるフィラメントと、これらのフィラメント側で前記発光管を保持するベースと、このベースに設けられて前記発光管とは逆方向に突出し、前記発光管内部の両端のフィラメントとそれぞれ電気的に接続する２組の端子と、前記発光管内部に設けられるアマルガムとを備え、前記２組の端子に対する接続が１８０度回転対称の構造になっている蛍光ランプを点灯するための蛍光ランプ用照明器具であって、一の中心軸周りに少なくとも３つ並置されて前記蛍光ランプの各端子と１８０度回転対称で電気的に接続するソケットと、このソケットを介して前記蛍光ランプに点灯用の電力を供給する安定器とを備え、前記ソケットに対する前記蛍光ランプの回転状態が１８０度回転対称のいずれの回転状態であっても、前記蛍光ランプの一の中心軸への前記アマルガムの位置からの垂線の方向が前記アマルガムの温度を一定にするような方向となるように、前記各ソケットは、前記蛍光ランプを鉛直側に起こした状態で、かつ自己に隣接する２つのソケットに接続された前記蛍光ランプの各中心軸を結ぶ線に対し平行な方向の側に、自己に接続された前記蛍光ランプの前記垂線が向く状態で、自己に接続された前記蛍光ランプの各端子と１８０度回転対称で電気的に接続するように配置されていることを特徴とする蛍光ランプ用照明器具。
【発明の詳細な説明】
【０００１】
【発明の属する技術分野】
本発明は、少なくとも３以上の奇数回１８０度方向転換し一の方向に伸びる各部の軸が一の中心軸周りに位置するように屈曲した形状の発光管を備え、この発光管内にアマルガムを含む蛍光ランプを点灯するための蛍光ランプ用照明器具に関するものである。
【０００２】
【従来の技術】
近年、地球環境問題が大きくクローズアップされ、様々な業界で省エネタイプの商品が求められている。照明器具の分野でも同様であり、光源の高効率化が達成されてきている。とりわけ、片口金型蛍光ランプと呼ばれるコンパクトな光源が開発されてからは、同じ明るさで消費電力が低いという特徴により、白熱灯との置き換えがかなり進んできている。
【０００３】
さらに、高効率で高出力（ワット）の片口金型蛍光ランプも開発され、住宅分野では白熱灯との置き換えがより一層加速し、非住宅分野においても、そのような高効率の片口金型蛍光ランプを複数灯点灯する照明器具が開発され、ＨＩＤ光源用照明器具との置き換えが進んできている。
【０００４】
ところで、片口金型蛍光ランプは、ランプ特性が点灯中の水銀蒸気圧に大きく依存し、水銀蒸気圧が高くなりすぎても低くなりすぎても発光効率が悪くなるという特性を持っているが、現在、その発光効率のランプ特性決定要因の異なる２種類の片口金蛍光ランプが存在している。その１つは、最冷点の温度によってランプ特性を決定するノーマルタイプであり、もう１つは、アマルガムの温度によりランプ特性を決定するアマルガムタイプである。
【０００５】
このアマルガムタイプのランプは、図２０に示すように、ノーマルタイプのランプに比べ、広い温度範囲で最適な光束特性を保ち、特に高温域での光束特性が良いといった特徴を持つ。このことから、点灯中のランプの周囲温度上昇に伴って水銀蒸気圧が高くなりすぎることにより発光効率が悪くなるという問題を回避するためには、アマルガムを含む片口金型蛍光ランプを使用する方が有利であることがわかる。なお、アマルガム入りランプの最冷点の温度は、ランプ特性に影響を与えるが、アマルガムによる効果の方が大きい。
【０００６】
今後、片口金型蛍光ランプの高出力化が進み、アマルガムタイプのランプが一般的となり、省エネ化の波にのり、コンパクトなアマルガム入り蛍光ランプが広範囲で使用されることになると考えられる。
【０００７】
ここで、片口金型でアマルガムタイプの蛍光ランプ用照明器具としては、例えば特開２００１−１６７６０８号公報において、複数の片口金蛍光ランプで各々のアマルガム部分どうしの距離が、それぞれ互いに最も遠い位置となるように配置されている埋込型照明器具が記載されている。この埋込型照明器具では、アマルガム部分を互いに最も遠くに離すことにより、アマルガム入りランプの特性を最適化するようにしている。
【０００８】
【発明が解決しようとする課題】
しかしながら、特開２００１−１６７６０８号公報に記載された埋込型照明器具では、器具側のソケットと蛍光ランプ側の各端子との接続が１８０度回転対称の構造になっているために、利用者が蛍光ランプを装着した状態によっては、ランプ特性が最適とならない場合があった。つまり、１灯の蛍光ランプが鉛直方向の点灯位置であってアマルガムの位置を鉛直方向下向きとする場合、１８０度回転対称のいずれの回転状態であってもアマルガムの温度が変化しないので、ランプ特性も変化しないが、蛍光ランプが水平方向の点灯位置である場合や、蛍光ランプが鉛直方向の点灯位置であっても蛍光ランプが多灯である場合などでは、ソケットへの蛍光ランプの装着状態の違いによってアマルガムの温度が変化するので、ランプ特性が大きく変化する場合がある。
【０００９】
本発明は、上記事情に鑑みてなされたものであり、ソケットに対する蛍光ランプの装着状態の違いで、蛍光ランプの特性が変化するのを防止することができる蛍光ランプ用照明器具を提供することを目的とする。
【００１０】
【課題を解決するための手段】
上記課題を解決するための請求項１記載の発明は、少なくとも３以上の奇数回１８０度方向転換し一の方向に伸びる各部の軸が一の中心軸周りに位置するように屈曲した形状の発光管と、この発光管内部の両端の各々に設けられるフィラメントと、これらのフィラメント側で前記発光管を保持するベースと、このベースに設けられて前記発光管とは逆方向に突出し、前記発光管内部の両端のフィラメントとそれぞれ電気的に接続する２組の端子と、前記発光管内部に設けられるアマルガムとを備え、前記２組の端子に対する接続が１８０度回転対称の構造になっている蛍光ランプを点灯するための蛍光ランプ用照明器具であって、前記蛍光ランプの各端子と１８０度回転対称で電気的に接続するソケットと、このソケットを介して前記蛍光ランプに点灯用の電力を供給する安定器とを備え、前記ソケットに対する前記蛍光ランプの回転状態が１８０度回転対称のいずれの回転状態であっても、前記蛍光ランプの一の中心軸への前記アマルガムの位置からの垂線の方向が前記アマルガムの温度を一定にするような方向となるように、前記ソケットは、前記蛍光ランプおよび前記垂線を水平側に倒した状態でその蛍光ランプの各端子と１８０度回転対称で電気的に接続するように配置されていることを特徴とする。
【００１１】
請求項２記載の発明は、請求項１記載の蛍光ランプ用照明器具において、前記ソケットを複数並置し、前記安定器は、前記複数のソケットを介してこれらソケットの各々に接続された前記蛍光ランプに点灯用の電力を供給し、前記各ソケットは、前記蛍光ランプの先端側を水平方向に対し鉛直方向に所定角度傾けて、各蛍光ランプが水平側を向くようにするとともに、自己に接続された前記蛍光ランプの前記垂線を、水平方向に対し４５度またはこれよりも小さな角度だけ傾けた状態で、その蛍光ランプの各端子と１８０度回転対称で電気的に接続するように配置されていることを特徴とする。
【００１２】
請求項３記載の発明は、少なくとも３以上の奇数回１８０度方向転換し一の方向に伸びる各部の軸が一の中心軸周りに位置するように屈曲した形状の発光管と、この発光管内部の両端の各々に設けられるフィラメントと、これらのフィラメント側で前記発光管を保持するベースと、このベースに設けられて前記発光管とは逆方向に突出し、前記発光管内部の両端のフィラメントとそれぞれ電気的に接続する２組の端子と、前記発光管内部に設けられるアマルガムとを備え、前記２組の端子に対する接続が１８０度回転対称の構造になっている蛍光ランプを点灯するための蛍光ランプ用照明器具であって、２つ並置されて前記蛍光ランプの各端子と１８０度回転対称で電気的に接続するソケットと、前記２つのソケットを介してこれらソケットの各々に接続された前記蛍光ランプに点灯用の電力を供給する安定器とを備え、前記ソケットに対する前記蛍光ランプの回転状態が１８０度回転対称のいずれの回転状態であっても、前記蛍光ランプの一の中心軸への前記アマルガムの位置からの垂線の方向が前記アマルガムの温度を一定にするような方向となるように、前記各ソケットは、前記蛍光ランプを鉛直側に起こした状態で、かつ各ソケットに接続された前記蛍光ランプの前記垂線がそれら蛍光ランプの各中心軸を結ぶ線に対して直交方向の側を向く状態で、自己に接続された前記蛍光ランプの各端子と１８０度回転対称で電気的に接続するように配置されていることを特徴とする。
【００１３】
請求項４記載の発明は、少なくとも３以上の奇数回１８０度方向転換し一の方向に伸びる各部の軸が一の中心軸周りに位置するように屈曲した形状の発光管と、この発光管内部の両端の各々に設けられるフィラメントと、これらのフィラメント側で前記発光管を保持するベースと、このベースに設けられて前記発光管とは逆方向に突出し、前記発光管内部の両端のフィラメントとそれぞれ電気的に接続する２組の端子と、前記発光管内部に設けられるアマルガムとを備え、前記２組の端子に対する接続が１８０度回転対称の構造になっている蛍光ランプを点灯するための蛍光ランプ用照明器具であって、一の中心軸周りに少なくとも３つ並置されて前記蛍光ランプの各端子と１８０度回転対称で電気的に接続するソケットと、このソケットを介して前記蛍光ランプに点灯用の電力を供給する安定器とを備え、前記ソケットに対する前記蛍光ランプの回転状態が１８０度回転対称のいずれの回転状態であっても、前記蛍光ランプの一の中心軸への前記アマルガムの位置からの垂線の方向が前記アマルガムの温度を一定にするような方向となるように、前記各ソケットは、前記蛍光ランプを鉛直側に起こした状態で、かつ自己に隣接する２つのソケットに接続された前記蛍光ランプの各中心軸を結ぶ線に対し平行な方向の側に、自己に接続された前記蛍光ランプの前記垂線が向く状態で、自己に接続された前記蛍光ランプの各端子と１８０度回転対称で電気的に接続するように配置されていることを特徴とする。
【００１５】
【発明の実施の形態】
まず、本発明に係る各実施形態の蛍光ランプ用照明器具で使用する各種蛍光ランプについて説明する。
【００１６】
図２は４本管形状の蛍光ランプを示す図、図３は６本管形状の蛍光ランプを示す図、図４は８本管形状の蛍光ランプを示す図である。なお、説明の便宜上、図２〜図４に示す括弧内の符号を適宜使い分けて説明する。
【００１７】
図２〜図４に示す蛍光ランプ１は、奇数回１８０度方向転換し一の方向に伸びる各部の軸が一の中心軸ＡＸ０周りに位置するように屈曲した形状の発光管１０と、この発光管１０内部の両端の各々に設けられて封止されるフィラメント１１と、これらのフィラメント１１側で発光管１０を保持するベース１２と、このベース１２に設けられて発光管１０とは逆方向に突出し、発光管１０内部の両端のフィラメント１１とそれぞれ電気的に接続する２組各２本の端子１３と、発光管１０内部のベース１２側に設けられるアマルガム１４とを備えている。なお、アマルガム１４は、通常、発光管１０の排気部に封入される。
【００１８】
図２に示す蛍光ランプ１Ａの発光管１０Ａは、３回１８０度方向転換し一の方向に伸びる各部の軸が一の中心軸ＡＸ０周りに位置するように屈曲した形状となっている。図３に示す蛍光ランプ１Ｂの発光管１０Ｂは、５回１８０度方向転換し一の方向に伸びる各部の軸が一の中心軸ＡＸ０周りに位置するように屈曲した形状となっている。図４に示す蛍光ランプ１Ｃの発光管１０Ｃは、７回１８０度方向転換し一の方向に伸びる各部の軸が一の中心軸ＡＸ０周りに位置するように屈曲した形状となっている。
【００１９】
図２〜図４の例では、フィラメント１１は、発光管１０内部の両端にそれぞれ２つずつ設けられている。そして、２組各２本の端子１３のうち、一方の組みの２本の端子１３は、発光管１０内部の両端の一方の各フィラメント１１の両端に電気的に接続され、他方の組みの２本の端子１３は、発光管１０内部の両端の他方の各フィラメント１１の両端に電気的に接続されている。
【００２０】
ただし、これら各種の蛍光ランプ１のうち、４本管形状の蛍光ランプ１Ａの具体構造は、図５に示すような構造になっている。この図において、蛍光ランプ１Ａの２組各２本の端子１３に対する接続は、１８０度回転対称の構造になっている。すなわち、ベース１２におけるソケットへの挿入部１２０Ａは断面小判状に形成され、その挿入部１２０Ａの先端面から４本の各端子１３が突出し、これらの各端子１３は長方形の各頂点に位置するように配置されている。また、挿入部１２０Ａにおける長手方向の両端の先端面側には突出部１２１Ａが形成され、挿入部１２０Ａにおける短手方向の両端の先端面側にも突出部１２２Ａが形成されている。
【００２１】
他方、蛍光ランプ１Ｂの端子部の具体構造は、図６に示すような構造になっており、蛍光ランプ１Ｃの端子部の具体構造は、図７に示すような構造になっている。これら蛍光ランプ１Ｂ，１Ｃの各端子１３に対する接続も、１８０度回転対称の構造になっている。
【００２２】
すなわち、蛍光ランプ１Ｂでは、図６に示すように、ベース１２におけるソケットへの挿入部１２０Ｂは断面矩形状に形成され、その挿入部１２０Ｂの先端面から４本の各端子１３が突出し、これらの各端子１３は長方形の各頂点に位置するように配置されている。また、挿入部１２０Ｂの短手方向の両端には突条部１２１Ｂが形成され、挿入部１２０Ｂの先端面中央には、角状の突部１２２Ｂが形成されている。
【００２３】
蛍光ランプ１Ｃでは、図７に示すように、ベース１２におけるソケットへの挿入部１２０Ｃは角状に形成され、その挿入部１２０Ｃの先端面から４本の各端子１３が突出し、これらの各端子１３は長方形の各頂点に位置するように配置されている。また、挿入部１２０Ｃの一の両端にはそれぞれ突条部１２１Ｃが２つずつ形成され、挿入部１２０Ｃの先端面中央には、角状の突部１２２Ｃが形成されている。
【００２４】
そして、これら各種の蛍光ランプ１のうち、蛍光ランプ１Ａに対しては、図８に示すソケット２（２Ａ）が使用され、蛍光ランプ１Ｂ，１Ｃに対しては、図９に示すソケット２（２Ｂ）が共通に使用される。
【００２５】
図８において、ソケット２（２Ａ）は、開口が矩形状であって蛍光ランプ１Ａの挿入部１２０Ａを挿入するための挿入口２０Ａを有するハウジング２１Ａを備え、挿入口２０Ａの内部底面には、蛍光ランプ１Ａの複数の端子１３をそれぞれ挿入するための複数の挿入孔２２Ａが形成されている。また、挿入口２０Ａの内周部には、挿入部１２０Ａの複数の突出部１２１Ａをそれぞれ挿通するための複数の凹所２３Ａが形成されている。そして、ハウジング２１Ａの内部には、各突出部１２１Ａを各凹所２３Ａに挿通し、各端子１３を各挿入孔２２Ａに挿入しながら、蛍光ランプ１Ａを「着」方向に回してソケットに装着したとき、複数の端子１３とそれぞれ電気的に接続する複数の端子が収納されており、これら複数の端子は、外部から例えば挿入された電線の導体線と電気的に接続するようになっている。
【００２６】
図９において、ソケット２（２Ｂ）は、開口が円状であって蛍光ランプ１Ｂ，１Ｃの挿入部１２０Ｂ，１２０Ｃを挿入するための挿入口２０Ｂを有するハウジング２１Ｂを備え、挿入口２０Ｂの内部底面には、蛍光ランプ１Ｂ，１Ｃの複数の端子１３をそれぞれ挿入するための複数の挿入孔２２Ｂが形成されている。そして、ハウジング２１Ｂの内部には、蛍光ランプ１Ｂ，１Ｃを矢印の向きの着方向に回しながら、各端子１３を各挿入孔２２Ｂに挿入してソケットに装着したとき、複数の端子１３とそれぞれ電気的に接続する複数の端子が収納されており、これら複数の端子は、外部から例えば挿入された電線の導体線と電気的に接続するようになっている。
【００２７】
（第１実施形態）
図１は本発明に係る第１実施形態の蛍光ランプ用照明器具を示す図であり、図１（ａ）は同蛍光ランプ用照明器具の一部断面構造を示し、図１（ｂ），（ｃ）は同蛍光ランプ用照明器具への装着時における蛍光ランプ内のアマルガムの位置を示す。
【００２８】
第１実施形態の蛍光ランプ用照明器具３Ａは、図１に示すように、天井ボード９に穿設された孔９１から下方を臨み天井ボード９裏に収納される複合構造のハウジング３０Ａを備えるとともに、蛍光ランプ１（１Ｂ）の各端子１３と１８０度回転対称で電気的に接続するソケット２（２Ｂ）と、このソケット２（２Ｂ）を介して蛍光ランプ１（１Ｂ）に点灯用の電力を供給する安定器４とを上記ハウジング３０Ａに備えている。
【００２９】
ハウジング３０Ａは、下方に伸びるソケット台部３２Ａを一端に有する断面Ｌ字状に形成されソケット台部３２Ａにソケット２（２Ｂ）が取着される例えば金属製の天板３１Ａと、ソケット２（２Ｂ）に装着された蛍光ランプ１（１Ｂ）を内部に挿入するための孔を側面に有する椀状に形成され、天板３１Ａに取着（ねじ止め）されるアルミ反射板３３Ａと、このアルミ反射板３３Ａの開口縁部外周に填め込まれる例えば金属製の枠３４Ａと、取付金具５を取り付けるためのスリット３５０Ａを有し天板３１Ａおよび枠３４Ａにかしめ固定される一対の吊り下げ金具３５Ａと、天板３１Ａに取着（ねじ止め）され安定器４が取り付けられる例えば金属製の取付板３６Ａとにより、つり鐘式に構成されている。そして、一対の吊り下げ金具３５Ａは、重量的に全体のバランスをとるように、安定器４側の枠３４Ａにかしめ固定されている。また、各寸法は、枠３４Ａが最大寸法となるように設定されている。
【００３０】
このように構成される蛍光ランプ用照明器具３Ａは、天井ボード９に穿設された孔９１から天井ボード９裏に挿入され、ハウジング３０Ａを各取付金具５で天井ボード９に固定することにより天井に取り付けられる。なお、ソケット２（２Ｂ）および安定器４は電線６により電気的に接続される。
【００３１】
ここで、第１実施形態の特徴として、ソケット２（２Ｂ）は、自己に対する蛍光ランプ１（１Ｂ）の回転状態が、図１（ｂ），（ｃ）に示す１８０度回転対称のいずれの回転状態であっても、蛍光ランプ１（１Ｂ）の一の中心軸ＡＸ０へのアマルガム１４の位置からの垂線ＰＬが、蛍光ランプ１（１Ｂ）の特性変化を少なくする方向となるように配置されている。図では、蛍光ランプ１（１Ｂ）および垂線ＰＬを水平に倒した状態で、蛍光ランプ１（１Ｂ）の各端子と１８０度回転対称で電気的に接続するように配置されている。
【００３２】
このようにソケット２（２Ｂ）を配置すれば、蛍光ランプ１（１Ｂ）の回転状態が図１（ｂ），（ｃ）の１８０度回転対称のいずれの回転状態であっても、アマルガム１４の位置的変化によるその熱的変化（後述の図１０では５．２度）が小さくなるから、ソケット２（２Ｂ）に対する蛍光ランプ１（１Ｂ）の装着状態の違いで、蛍光ランプ１（１Ｂ）の特性が変化するのを防止することができる。
【００３３】
なお、第１実施形態では、ソケット２（２Ｂ）は、垂線ＰＬを水平に倒した状態で蛍光ランプ１（１Ｂ）の各端子と１８０度回転対称で電気的に接続するように配置されるが、これに限らず、垂線ＰＬを０度〜４５度の範囲内の水平側に倒した状態で、蛍光ランプ１（１Ｂ）の各端子と１８０度回転対称で電気的に接続するように配置される構造でも、４５度を超える鉛直側に垂線ＰＬを起こした状態と比べ、図１０に示すように、アマルガム１４に対する温度差を最大１８度程度に抑制することができるので、ソケット２（２Ｂ）に対する蛍光ランプ１（１Ｂ）の装着状態の違いで、蛍光ランプ１（１Ｂ）の特性が変化するのを防止することができる。この場合、フィラメント１１を水平方向に配置するようにしてもよい。なお、４５度を超える鉛直側に起こした状態では、温度差が大きくなる傾向にある。
【００３４】
また、第１実施形態では、ハウジング３０Ａにアルミ反射板３３Ａが使用される構成になっているが、樹脂により椀状ないしバスタブ状に形成し、内面に銀蒸着を施してなる反射板が使用される構成でもよい。
【００３５】
さらに、第１実施形態では、蛍光ランプ１（１Ｂ）が使用される構成になっているが、蛍光ランプ１（１Ｃ）が使用される構成でも同様の効果が得られる。また、ソケット２（２Ｂ）をソケット２（２Ａ）に代えてこれを第１実施形態と同様に配置し、蛍光ランプ１（１Ａ）を使用するようにしても、同様の効果が得られる。
【００３６】
（第２実施形態）
図１１は本発明に係る第２実施形態の蛍光ランプ用照明器具を示す図であり、図１１（ａ）は同蛍光ランプ用照明器具を上方から見た図、図１１（ｂ）は同蛍光ランプ用照明器具を側方から見た一部断面図、図１１（ｃ），（ｄ）は同蛍光ランプ用照明器具への装着時における蛍光ランプ内のアマルガムの位置を示す図である。
【００３７】
第２実施形態の蛍光ランプ用照明器具３Ｂは、図１１に示すように、天井ボード９に穿設された孔９１から下方を臨み天井ボード９裏に収納される複合構造のハウジング３０Ｂを備えるとともに、蛍光ランプ１（１Ｂ）の各端子１３と１８０度回転対称で電気的に接続する２つのソケット２（２Ｂ）と、これらソケット２（２Ｂ）の各々を介して蛍光ランプ１（１Ｂ）に点灯用の電力を供給する安定器４とを上記ハウジング３０Ｂに備えている。
【００３８】
ハウジング３０Ｂは、例えば金属製の天板３１Ｂと、この天板３１Ｂに固定され２つのソケット２（２Ｂ）が取着される例えば金属製のソケット台３２Ｂと、各ソケット２（２Ｂ）に装着された蛍光ランプ１（１Ｂ）を内部に挿入するための各孔３３０Ｂを側面に有する椀状に形成され、取り付けばね３１０Ｂにより天板３１Ｂに取り付けられるアルミ反射板３３Ｂと、このアルミ反射板３３Ｂの開口縁部外周に填め込まれる例えば金属製の枠３４Ｂと、取付金具５を取り付けるためのスリット３５０Ｂを有し天板３１Ｂおよび枠３４Ｂにかしめ固定される一対の吊り下げ金具３５Ｂとにより、つり鐘式に構成されている。そして、一対の吊り下げ金具３５Ｂは、重量的に全体のバランスをとるように、安定器４側の枠３４Ｂにかしめ固定されている。また、各寸法は、枠３４Ｂが最大寸法となるように設定されている。
【００３９】
このように構成される蛍光ランプ用照明器具３Ｂは、天井ボード９に穿設された孔９１から天井ボード９裏に挿入され、ハウジング３０Ｂを各取付金具５で天井ボード９に固定することにより天井に取り付けられる。なお、ソケット２（２Ｂ）および安定器４は電線６により電気的に接続される。また、図１１中の７は安定器４のカバーに具備される端子台であり、上下にスライドする機構がある。
【００４０】
ここで、各ソケット２（２Ｂ）は、自己に対する蛍光ランプ１（１Ｂ）の回転状態が１８０度回転対称のいずれの回転状態であっても、蛍光ランプ１（１Ｂ）の中心軸ＡＸ０へのアマルガム１４の位置からの垂線ＰＬが、蛍光ランプ１（１Ｂ）の特性変化を少なくする方向となるように配置されている。図では、蛍光ランプ１（１Ｂ）および垂線ＰＬを水平に倒した状態で、蛍光ランプ１（１Ｂ）の各端子と１８０度回転対称で電気的に接続するように配置されている。
【００４１】
このようにソケット２（２Ｂ）を配置すれば、蛍光ランプ１（１Ｂ）の回転状態が１８０度回転対称のいずれの回転状態であっても、ソケット２（２Ｂ）に対する蛍光ランプ１（１Ｂ）の装着状態の違いだけの要因に対しては、アマルガム１４の位置的変化によるその熱的変化が小さくなるから、蛍光ランプ１（１Ｂ）の特性が変化するのを防止することができる。
【００４２】
また、このように特性が変化するのを防止することにより、アマルガム１４に対する全体的な熱的変化を抑制することが容易となる。すなわち、図１１（ｃ）に示すように、各アマルガム１４を外向きにして各蛍光ランプ１（１Ｂ）をソケット２（２Ｂ）に装着した場合、各アマルガム１４は、アルミ反射板３３Ｂと対面する位置に来て反射光（熱）を受ける。図１１（ｄ）に示すように、各アマルガム１４を内向きにして各蛍光ランプ１（１Ｂ）をソケット２（２Ｂ）に装着した場合、各アマルガム１４は、他の蛍光ランプ１（１Ｂ）から放射光（熱）を受ける。そして、この配置関係を考慮して、両中心軸ＡＸ０間を所定長に設定すれば、蛍光ランプ１（１Ｂ）の回転状態が図１１（ｃ），（ｄ）の１８０度回転対称のいずれの回転状態であっても、アマルガム１４に対する全体的な熱的変化を抑制することができる。約６０ｍｍに設定したとき、アマルガム１４に対する熱的変化をほとんど抑制することができた。
【００４３】
（第３実施形態）
図１２は本発明に係る第３実施形態の蛍光ランプ用照明器具を示す図であり、図１２（ａ）は同蛍光ランプ用照明器具を上方から見た図、図１２（ｂ）は同蛍光ランプ用照明器具を側方から見た一部断面図、図１２（ｃ），（ｄ）は同蛍光ランプ用照明器具への装着時における蛍光ランプ内のアマルガムの位置を示す図である。
【００４４】
第３実施形態の蛍光ランプ用照明器具３Ｃは、図１２に示すように、天井ボード９に穿設された孔９１から下方を臨み天井ボード９裏に収納される複合構造のハウジング３０Ｃを備えるとともに、蛍光ランプ１（１Ｂ）の各端子１３と１８０度回転対称で電気的に接続する２つのソケット２（２Ｂ）と、これらソケット２（２Ｂ）の各々を介して蛍光ランプ１（１Ｂ）に点灯用の電力を供給する安定器４とを上記ハウジング３０Ｃに備えている。
【００４５】
ハウジング３０Ｃは、例えば金属製の天板３１Ｂと、この天板３１Ｂに固定され２つのソケット２（２Ｂ）がそれぞれ第２実施形態と同様の配置で取着される２つの例えば金属製のソケット台３２Ｃと、各ソケット２（２Ｂ）に装着された蛍光ランプ１（１Ｂ）を内部に挿入するための各孔３３０Ｃを側面に有する椀状に形成されて内面にアルミまたは銀蒸着が施され、天板３１Ｂに取着される樹脂製の反射板３３Ｃと、この反射板３３Ｃの開口縁部外周に一体成形される枠３４Ｃとにより構成されている。そして、ハウジング３０Ｃは、一対の取付バネ５Ａを用いて天井に固定されるようになっている。また、各寸法は、枠３４Ｃが最大寸法となるように設定されている。
【００４６】
このように構成される蛍光ランプ用照明器具３Ｃは、天井ボード９に穿設された孔９１から天井ボード９裏に挿入され、ハウジング３０Ｃを各取付バネ５Ａで天井ボード９に固定することにより天井に取り付けられる。なお、ソケット２（２Ｂ）および安定器４は電線６により電気的に接続される。また、図中の７は安定器４のカバーに具備される端子台である。
【００４７】
このような構成の蛍光ランプ用照明器具３Ｃによれば、第２実施形態と同様の効果を得ることができる。また、反射板３３Ｃの内面にアルミまたは銀蒸着が施されているため、アルミ反射板よりも反射率が高く赤外線を器具外により効率的に放出することができ、反射板３３Ｃの外面からの熱放射率が高く反射板３３Ｃ内の熱をより多く器具外に放出することができるので、各蛍光ランプ１（１Ｂ）の温度低減が可能となり、アマルガム１４の温度上昇によるランプ特性の変化をさらに低減できる。
【００４８】
（第４実施形態）
図１３は本発明に係る第４実施形態の蛍光ランプ用照明器具を示す図であり、図１３（ａ）は同蛍光ランプ用照明器具を上方から見た図、図１３（ｂ）は同蛍光ランプ用照明器具を側方から見た一部断面図、図１３（ｃ），（ｄ）は同蛍光ランプ用照明器具への装着時における蛍光ランプ内のアマルガムの位置を示す図である。
【００４９】
第４実施形態の蛍光ランプ用照明器具３Ｄは、図１３に示すように、器具自体は第２実施形態のそれと同じものであり、第２実施形態との相違点として、各ソケット２（２Ｂ）に８本管形状の蛍光ランプ１（１Ｃ）が装着されている。第４実施形態でも、各ソケット２（２Ｂ）は、各蛍光ランプ１（１Ｃ）の中心軸ＡＸ０へのアマルガム１４の位置からの垂線ＰＬが蛍光ランプ１（１Ｃ）の特性変化を少なくする方向となるように配置されている。図では、蛍光ランプ１（１Ｃ）および垂線ＰＬを水平に倒した状態で、蛍光ランプ１（１Ｃ）の各端子と１８０度回転対称で電気的に接続するように配置されている。
【００５０】
このような構成の蛍光ランプ用照明器具３Ｄによれば、第２実施形態と同様の効果を得ることができる。なお、アルミ反射板３３Ｂおよび枠３４Ｂに代えて、樹脂製の反射板３３Ｃおよび枠３４Ｃを使用すれば、第３実施形態と同様の効果を得ることができる。
【００５１】
（第５実施形態）
図１４は本発明に係る第５実施形態の蛍光ランプ用照明器具を示す図であり、図１４（ａ）は同蛍光ランプ用照明器具を上方から見た図、図１４（ｂ）は同蛍光ランプ用照明器具を側方から見た一部断面図、図１４（ｃ），（ｄ）は同蛍光ランプ用照明器具への装着時における蛍光ランプ内のアマルガムの位置を示す図である。
【００５２】
第５実施形態の蛍光ランプ用照明器具３Ｅは、図１４に示すように、第２実施形態との相違点として、各ソケット２（２Ｂ）に代えてソケット２（２Ａ）を備え、各ソケット２（２Ａ）に４本管形状の蛍光ランプ１（１Ａ）が装着されている。第５実施形態でも、各ソケット２（２Ａ）は、各蛍光ランプ１（１Ａ）の中心軸ＡＸ０へのアマルガム１４の位置からの垂線ＰＬが蛍光ランプ１（１Ａ）の特性変化を少なくする方向となるように配置されている。図では、蛍光ランプ１（１Ａ）および垂線ＰＬを水平に倒した状態で、蛍光ランプ１（１Ａ）の各端子と１８０度回転対称で電気的に接続するように配置されている。
【００５３】
このような構成の蛍光ランプ用照明器具３Ｅによれば、第２実施形態と同様の効果を得ることができる。なお、アルミ反射板３３Ｂおよび枠３４Ｂに代えて、樹脂製の反射板３３Ｃおよび枠３４Ｃを使用すれば、第３実施形態と同様の効果を得ることができる。
【００５４】
（第６実施形態）
図１５は本発明に係る第６実施形態の蛍光ランプ用照明器具を示す図であり、図１５（ａ）は同蛍光ランプ用照明器具を上方から見た図、図１５（ｂ）は同蛍光ランプ用照明器具を側方から見た一部断面図、図１５（ｃ），（ｄ）は同蛍光ランプ用照明器具への装着時における蛍光ランプ内のアマルガムの位置を示す図である。
【００５５】
第６実施形態の蛍光ランプ用照明器具３Ｆは、図１５に示すように、第２実施形態との相違点として、各蛍光ランプ１（１Ｂ）の先端側を水平方向に対し鉛直下方に所定角度傾けて、各蛍光ランプ１（１Ｂ）が水平側を向くように、ソケット台３２Ｂが傾いた状態で天板３１Ｂに取着された構成になっている。また、各ソケット２（２Ｂ）は、垂線ＰＬを水平方向に対し３０度の角度傾けて水平側に倒した状態で、蛍光ランプ１（１Ｂ）の各端子１３と１８０度回転対称で電気的に接続するようにソケット台３２Ｂに配置されている。そして、各フィラメント１１は水平方向に対し約６０度の角度をなす位置に配置されている。
【００５６】
このような構成の蛍光ランプ用照明器具３Ｆによれば、図１０から分かるように、第２実施形態とほぼ同様の効果を得ることができる。
【００５７】
また、各ソケット２（２Ｂ）よりも各蛍光ランプ１（１Ｂ）の先端が少し下方に下がるので、各蛍光ランプ１（１Ｂ）の交換が容易となる。
【００５８】
さらに、各フィラメント１１が水平方向に対し約６０度の角度をなす位置に配置されているので、最も温度の高い各フィラメント１１が互いに内側を向くことがないため、各蛍光ランプ１（１Ｂ）全体の温度変化が少なくなり、アマルガム１４の温度変化も少なくなる。
【００５９】
なお、アルミ反射板３３Ｂおよび枠３４Ｂに代えて、樹脂製の反射板３３Ｃおよび枠３４Ｃを使用すれば、第３実施形態と同様の効果を得ることができる。
【００６０】
（第７実施形態）
図１６は本発明に係る第７実施形態の蛍光ランプ用照明器具を示す図であり、図１６（ａ）は同蛍光ランプ用照明器具を上方から見た図、図１６（ｂ）は同蛍光ランプ用照明器具を側方から見た一部断面図、図１６（ｃ）は同蛍光ランプ用照明器具への装着時における蛍光ランプ内のアマルガムの位置を示す図である。
【００６１】
第７実施形態の蛍光ランプ用照明器具３Ｇは、図１６に示すように、天井ボード９に穿設された孔９１から下方を臨み天井ボード９裏に収納される複合構造のハウジング３０Ｄを備えるとともに、３つの蛍光ランプ１（１Ｂ）の各端子１３とそれぞれ１８０度回転対称で電気的に接続する３つのソケット２（２Ｂ）と、これらソケット２（２Ｂ）の各々を介して蛍光ランプ１（１Ｂ）に点灯用の電力を供給する安定器４とを上記ハウジング３０Ｄに備えている。
【００６２】
ハウジング３０Ｄは、電子素子４０などにより構成される安定器、１つのソケット２（２Ｂ）が取着されるソケット台３２Ｄおよび２つのソケット２（２Ｂ）が取着されるソケット台３２Ｅなどを含む例えば金属製のハウジング本体３１Ｃと、各ソケット２（２Ｂ）に装着された蛍光ランプ１（１Ｂ）を内部に挿入するための各孔を側面に有する椀状またはバスタブ状に形成されて内面にアルミまたは銀蒸着が施され、ハウジング本体３１Ｃに取着される樹脂製の反射板３３Ｄと、この反射板３３Ｄの開口縁部外周に一体成形される枠３４Ｄとにより構成されている。そして、ハウジング３０Ｄは、４つの取付バネ５Ａを用いて天井に固定されるようになっている。また、各寸法は、枠３４Ｄが最大寸法となるように設定されている。
【００６３】
このように構成される蛍光ランプ用照明器具３Ｇは、天井ボード９に穿設された孔９１から天井ボード９裏に挿入され、ハウジング３０Ｄを各取付バネ５Ａで天井ボード９に固定することにより天井に取り付けられる。なお、ソケット２（２Ｂ）および安定器４は、安定器を構成する電子素子４０などが実装された基板または電線などにより電気的に接続される。
【００６４】
ここで、各ソケット２（２Ｂ）は、自己に対する蛍光ランプ１（１Ｂ）の回転状態が１８０度回転対称のいずれの回転状態であっても、蛍光ランプ１（１Ｂ）の中心軸ＡＸ０へのアマルガム１４の位置からの垂線ＰＬが、蛍光ランプ１（１Ｂ）の特性変化を少なくする方向となるように配置されている。図では、蛍光ランプ１（１Ｂ）および垂線ＰＬを水平に倒した状態で、蛍光ランプ１（１Ｂ）の各端子と１８０度回転対称で電気的に接続するように配置されている。
【００６５】
このような構成の蛍光ランプ用照明器具３Ｇによれば、第３実施形態とほぼ同様の効果を得ることができる。また、各フィラメント１１を水平方向に配置してもよいが、第７実施形態のように、水平方向に対し所定角度をなす水平方向の側に配置すれば、各蛍光ランプ１（１Ｂ）全体の温度変化が少なくなり、アマルガム１４の温度変化も少なくなるので望ましい。
【００６６】
なお、反射板３３Ｄおよび枠３４Ｄに代えて、アルミ反射板および枠を使用すれば、第２実施形態とほぼ同様の効果を得ることができる。
【００６７】
また、蛍光ランプ１（１Ｃ）が使用される構成でも同様の効果が得られる。また、ソケット２（２Ｂ）をソケット２（２Ａ）に代えてこれを第７実施形態と同様に配置し、蛍光ランプ１（１Ａ）を使用するようにしても、同様の効果が得られる。
【００６８】
（第８実施形態）
図１７は本発明に係る第８実施形態の蛍光ランプ用照明器具を示す図であり、図１７（ａ）は同蛍光ランプ用照明器具を側方から見た図、図１７（ｂ）は同蛍光ランプ用照明器具への装着時における蛍光ランプ内のアマルガムの位置を示す図である。
【００６９】
第８実施形態の蛍光ランプ用照明器具３Ｈは、図１７に示すように、天井ボード９に穿設された孔９１から下方を臨み天井ボード９裏に収納される複合構造のハウジング３０Ｅを備えるとともに、２つの蛍光ランプ１（１Ｂ）の各端子１３とそれぞれ１８０度回転対称で電気的に接続する２つのソケット２（２Ｂ）と、これらソケット２（２Ｂ）の各々を介して蛍光ランプ１（１Ｂ）に点灯用の電力を供給する安定器４とを上記ハウジング３０Ｅに備えている。
【００７０】
ハウジング３０Ｅは、安定器４および各ソケット２（２Ｂ）が取着される例えば金属製の天板３１Ｄと、各ソケット２（２Ｂ）に装着された蛍光ランプ１（１Ｂ）を内部に挿入するための各孔を上底部に有する椀状ないしバスタブ状に形成されたアルミ反射板３３Ｅと、このアルミ反射板３３Ｅの開口縁部外周に填め込まれる例えば金属製の枠３４Ｅと、取付金具５（図示省略）を取り付けるためのスリットを有し天板３１Ｄおよび枠３４Ｅにかしめ固定される一対の吊り下げ金具３５Ｃと、天板３１Ｄとアルミ反射板３３Ｅの底部との間に介設され、例えばねじによりアルミ反射板３３Ｅを係止し天板３１Ｄに取着（ねじ止め）される吊り金具３６Ｂとにより構成されている。そして、各寸法は、枠３４Ｅが最大寸法となるように設定されている。
【００７１】
このような構成される蛍光ランプ用照明器具３Ｈは、天井ボード９に穿設された孔９１から天井ボード９裏に挿入され、ハウジング３０Ｅを各取付金具５で天井ボード９に固定することにより天井に取り付けられる。なお、ソケット２（２Ｂ）および安定器４は電線などにより電気的に接続される。
【００７２】
ここで、各ソケット２（２Ｂ）は、自己に対する蛍光ランプ１（１Ｂ）の回転状態が１８０度回転対称のいずれの回転状態であっても、蛍光ランプ１（１Ｂ）の中心軸ＡＸ０へのアマルガム１４の位置からの垂線ＰＬが、蛍光ランプ１（１Ｂ）の特性変化を少なくする方向となるように配置されている。具体的には、蛍光ランプ１（１Ｂ）を鉛直側に起こした（図では鉛直下向きに起こした）状態で、かつ各ソケット２（２Ｂ）に接続された蛍光ランプ１（１Ｂ）の垂線ＰＬがそれら蛍光ランプ１（１Ｂ）の各中心軸ＡＸ０を結ぶ線に対して直交方向の側を向く（図では直交する）状態で、自己に接続された蛍光ランプ１（１Ｂ）の各端子１３と１８０度回転対称で電気的に接続するように配置されている。
【００７３】
このように各ソケット２（２Ｂ）を配置すれば、蛍光ランプ１（１Ｂ）の回転状態が１８０度回転対称のいずれの回転状態であっても、アマルガム１４の位置的変化によるその熱的変化が小さくなるから、ソケット２（２Ｂ）に対する蛍光ランプ１（１Ｂ）の装着状態の違いで、蛍光ランプ１（１Ｂ）の特性が変化するのを防止することができる。
【００７４】
なお、第８実施形態では、蛍光ランプ１（１Ｂ）が使用される構成になっているが、蛍光ランプ１（１Ｃ）が使用される構成でも同様の効果が得られる。また、ソケット２（２Ｂ）をソケット２（２Ａ）に代えてこれを第８実施形態と同様に配置し、蛍光ランプ１（１Ａ）を使用するようにしても、同様の効果が得られる。
【００７５】
また、アルミ反射板３３Ｅおよび枠３４Ｅに代えて、樹脂製の反射板および枠を使用すれば、第３実施形態と同様の効果を得ることができる。
【００７６】
（第９実施形態）
図１８は本発明に係る第９実施形態の蛍光ランプ用照明器具を示す図であり、図１８（ａ）は同蛍光ランプ用照明器具を側方から見た図、図１８（ｂ）は同蛍光ランプ用照明器具への装着時における蛍光ランプ内のアマルガムの位置を示す図である。
【００７７】
第９実施形態の蛍光ランプ用照明器具３Ｊは、図１８に示すように、天井ボード９に穿設された孔９１から下方を臨み天井ボード９裏に収納される複合構造のハウジング３０Ｆを備えるとともに、３つの蛍光ランプ１（１Ｂ）の各端子１３とそれぞれ１８０度回転対称で電気的に接続する３つのソケット２（２Ｂ）と、これらソケット２（２Ｂ）の各々を介して蛍光ランプ１（１Ｂ）に点灯用の電力を供給する安定器４とを上記ハウジング３０Ｆに備えている。
【００７８】
ハウジング３０Ｆは、安定器４および各ソケット２（２Ｂ）が取着される例えば金属製の天板３１Ｅと、各ソケット２（２Ｂ）に装着された蛍光ランプ１（１Ｂ）を内部に挿入するための各孔３３０Ｅを上底部側に有する椀状ないしバスタブ状に形成されたアルミ反射板３３Ｆと、このアルミ反射板３３Ｆの開口縁部外周に填め込まれる例えば金属製の枠３４Ｆと、取付金具５を取り付けるためのスリットを有し天板３１Ｅおよび枠３４Ｆにかしめ固定される３つの吊り下げ金具３５Ｅと、天板３１Ｅとアルミ反射板３３Ｆの底部との間に介設され、ねじ３６１によりアルミ反射板３３Ｆを係止し天板３１Ｅに取着（ねじ止め）される吊り金具３６Ｃとにより構成されている。そして、各寸法は、枠３４Ｆが最大寸法となるように設定されている。
【００７９】
このように構成される蛍光ランプ用照明器具３Ｊは、天井ボード９に穿設された孔９１から天井ボード９裏に挿入され、ハウジング３０Ｆを各取付金具５で固定することにより天井に取り付けられる。なお、ソケット２（２Ｂ）および安定器４は電線６により電気的に接続される。
【００８０】
ここで、各ソケット２（２Ｂ）は、自己に対する蛍光ランプ１（１Ｂ）の回転状態が１８０度回転対称のいずれの回転状態であっても、蛍光ランプ１（１Ｂ）の中心軸ＡＸ０へのアマルガム１４の位置からの垂線ＰＬが、蛍光ランプ１（１Ｂ）の特性変化を少なくする方向となるように配置されている。具体的には、蛍光ランプ１（１Ｂ）を鉛直側に起こした（図では鉛直下向きに起こした）状態で、かつ自己に隣接する２つのソケット２（２Ｂ）に接続された蛍光ランプ１（１Ｂ）の各中心軸ＡＸ０を結ぶ線に対し平行な方向の側（図では平行）に、自己に接続された蛍光ランプ１（１Ｂ）の垂線ＰＬが向く状態で、自己に接続された蛍光ランプ１（１Ｂ）の各端子１３と１８０度回転対称で電気的に接続するように配置されている。
【００８１】
このように各ソケット２（２Ｂ）を配置すれば、蛍光ランプ１（１Ｂ）の回転状態が１８０度回転対称のいずれの回転状態であっても、アマルガム１４の位置的変化によるその熱的変化が小さくなるから、ソケット２（２Ｂ）に対する蛍光ランプ１（１Ｂ）の装着状態の違いで、蛍光ランプ１（１Ｂ）の特性が変化するのを防止することができる。このような効果は、各蛍光ランプ１（１Ｂ）の中心軸ＡＸ０が図１８に示すような正三角形の各頂点に位置する場合に限らず、二等辺三角形などの各頂点に位置する場合においても得られる。
【００８２】
なお、第９実施形態では、蛍光ランプ１（１Ｂ）が使用される構成になっているが、蛍光ランプ１（１Ｃ）が使用される構成でも同様の効果が得られる。また、ソケット２（２Ｂ）をソケット２（２Ａ）に代えてこれを第９実施形態と同様に配置し、蛍光ランプ１（１Ａ）を使用するようにしても、同様の効果が得られる。
【００８３】
また、アルミ反射板３３Ｆおよび枠３４Ｆに代えて、樹脂製の反射板および枠を使用すれば、第３実施形態と同様の効果を得ることができる。
【００８４】
（第１０実施形態）
図１９は本発明に係る第１０実施形態の蛍光ランプ用照明器具を示す図であり、図１９（ａ）は同蛍光ランプ用照明器具を側方から見た図、図１９（ｂ）は同蛍光ランプ用照明器具への装着時における蛍光ランプ内のアマルガムの位置を示す図である。
【００８５】
第１０実施形態の蛍光ランプ用照明器具３Ｋは、図１９に示すように、天井ボード９に穿設された孔９１から下方を臨み天井ボード９裏に収納される複合構造のハウジング３０Ｇを備えるとともに、４つの蛍光ランプ１（１Ｂ）の各端子１３とそれぞれ１８０度回転対称で電気的に接続する４つのソケット２（２Ｂ）と、これらソケット２（２Ｂ）の各々を介して蛍光ランプ１（１Ｂ）に点灯用の電力を供給する安定器とを上記ハウジング３０Ｇに備えている。
【００８６】
ハウジング３０Ｇは、安定器および各ソケット２（２Ｂ）などを含む例えば金属製のハウジング本体３１Ｆと、各ソケット２（２Ｂ）に装着された蛍光ランプ１（１Ｂ）を内部に挿入するための各孔を上底部に有する椀状またはバスタブ状に形成されたアルミ反射板３３Ｇと、このアルミ反射板３３Ｇの開口縁部外周に填め込まれる例えば金属製の枠３４Ｇと、取付金具５を取り付けるためのスリットを有しハウジング本体３１Ｆおよび枠３４Ｇにかしめ固定される３つの吊り下げ金具３５Ｆとにより構成されている。アルミ反射板３３Ｇは、ねじ３６１Ａによりハウジング本体３１Ｆに係止されるようになっている。また、各寸法は、枠３４Ｇが最大寸法となるように設定されている。
【００８７】
このように構成される蛍光ランプ用照明器具３Ｋは、天井ボード９に穿設された孔９１から天井ボード９裏に挿入され、ハウジング３０Ｇを各取付金具５で固定することにより天井に取り付けられる。なお、ソケット２（２Ｂ）および安定器４は電線などにより電気的に接続される。
【００８８】
ここで、各ソケット２（２Ｂ）は、自己に対する蛍光ランプ１（１Ｂ）の回転状態が１８０度回転対称のいずれの回転状態であっても、蛍光ランプ１（１Ｂ）の中心軸ＡＸ０へのアマルガム１４の位置からの垂線ＰＬが、蛍光ランプ１（１Ｂ）の特性変化を少なくする方向となるように配置されている。具体的には、蛍光ランプ１（１Ｂ）を鉛直側に起こした（図では鉛直下向きに起こした）状態で、かつ自己に隣接する２つのソケット２（２Ｂ）に接続された蛍光ランプ１（１Ｂ）の各中心軸ＡＸ０を結ぶ線に対し平行な方向の側（図では平行）に、自己に接続された蛍光ランプ１（１Ｂ）の垂線ＰＬが向く状態で、自己に接続された蛍光ランプ１（１Ｂ）の各端子１３と１８０度回転対称で電気的に接続するように配置されている。
【００８９】
このように各ソケット２（２Ｂ）を配置すれば、蛍光ランプ１（１Ｂ）の回転状態が１８０度回転対称のいずれの回転状態であっても、アマルガム１４の位置的変化によるその熱的変化が小さくなるから、ソケット２（２Ｂ）に対する蛍光ランプ１（１Ｂ）の装着状態の違いで、蛍光ランプ１（１Ｂ）の特性が変化するのを防止することができる。このような効果は、各蛍光ランプ１（１Ｂ）の中心軸ＡＸ０が図１９に示すような正方形の各頂点に位置する場合に限らず、長方形などの各頂点に位置する場合においても得られる。
【００９０】
なお、第１０実施形態では、蛍光ランプ１（１Ｂ）が使用される構成になっているが、蛍光ランプ１（１Ｃ）が使用される構成でも同様の効果が得られる。また、ソケット２（２Ｂ）をソケット２（２Ａ）に代えてこれを第１０実施形態と同様に配置し、蛍光ランプ１（１Ａ）を使用するようにしても、同様の効果が得られる。
【００９１】
また、アルミ反射板３３Ｇおよび枠３４Ｇに代えて、樹脂製の反射板および枠を使用すれば、第３実施形態と同様の効果を得ることができる。
【００９２】
さらに、４灯に限らず、４灯を超える多灯の場合でも、各ソケットを第１０実施形態と同様のレイアウトで配置することができれば、第１０実施形態と同様の効果が得られる。
【００９３】
また、上記各実施形態において、蛍光ランプは、４本管形状、６本管形状または８本管形状に限らず、８本管を超える形状でも、その実施形態と同様に各ソケットを配置すれば、それと同様の効果が得られる。
【００９４】
【発明の効果】
以上のことから明らかなように、請求項１記載の発明は、少なくとも３以上の奇数回１８０度方向転換し一の方向に伸びる各部の軸が一の中心軸周りに位置するように屈曲した形状の発光管と、この発光管内部の両端の各々に設けられるフィラメントと、これらのフィラメント側で前記発光管を保持するベースと、このベースに設けられて前記発光管とは逆方向に突出し、前記発光管内部の両端のフィラメントとそれぞれ電気的に接続する２組の端子と、前記発光管内部に設けられるアマルガムとを備え、前記２組の端子に対する接続が１８０度回転対称の構造になっている蛍光ランプを点灯するための蛍光ランプ用照明器具であって、前記蛍光ランプの各端子と１８０度回転対称で電気的に接続するソケットと、このソケットを介して前記蛍光ランプに点灯用の電力を供給する安定器とを備え、前記ソケットに対する前記蛍光ランプの回転状態が１８０度回転対称のいずれの回転状態であっても、前記蛍光ランプの一の中心軸への前記アマルガムの位置からの垂線の方向が前記アマルガムの温度を一定にするような方向となるように、前記ソケットは、前記蛍光ランプおよび前記垂線を水平側に倒した状態でその蛍光ランプの各端子と１８０度回転対称で電気的に接続するように配置されているので、蛍光ランプの回転状態が１８０度回転対称のいずれの回転状態であっても、蛍光ランプの一の中心軸へのアマルガムの位置からの垂線が水平側を向くことにより、アマルガムの位置的変化によるその熱的変化が小さくなるから、ソケットに対する蛍光ランプの装着状態の違いで、蛍光ランプの特性が変化するのを防止することができる。
【００９６】
請求項２記載の発明は、請求項１記載の蛍光ランプ用照明器具において、前記ソケットを複数並置し、前記安定器は、前記複数のソケットを介してこれらソケットの各々に接続された前記蛍光ランプに点灯用の電力を供給し、前記各ソケットは、前記蛍光ランプの先端側を水平方向に対し鉛直方向に所定角度傾けて、各蛍光ランプが水平側を向くようにするとともに、自己に接続された前記蛍光ランプの前記垂線を、水平方向に対し４５度またはこれよりも小さな角度だけ傾けた状態で、その蛍光ランプの各端子と１８０度回転対称で電気的に接続するように配置されているので、４５度を超える鉛直側に垂線を起こした状態と比べ、アマルガムに対する温度差を抑制することができるから、ソケットに対する蛍光ランプの装着状態の違いで、蛍光ランプの特性が変化するのを防止することができる。
【００９７】
請求項３記載の発明は、少なくとも３以上の奇数回１８０度方向転換し一の方向に伸びる各部の軸が一の中心軸周りに位置するように屈曲した形状の発光管と、この発光管内部の両端の各々に設けられるフィラメントと、これらのフィラメント側で前記発光管を保持するベースと、このベースに設けられて前記発光管とは逆方向に突出し、前記発光管内部の両端のフィラメントとそれぞれ電気的に接続する２組の端子と、前記発光管内部に設けられるアマルガムとを備え、前記２組の端子に対する接続が１８０度回転対称の構造になっている蛍光ランプを点灯するための蛍光ランプ用照明器具であって、２つ並置されて前記蛍光ランプの各端子と１８０度回転対称で電気的に接続するソケットと、前記２つのソケットを介してこれらソケットの各々に接続された前記蛍光ランプに点灯用の電力を供給する安定器とを備え、前記ソケットに対する前記蛍光ランプの回転状態が１８０度回転対称のいずれの回転状態であっても、前記蛍光ランプの一の中心軸への前記アマルガムの位置からの垂線の方向が前記アマルガムの温度を一定にするような方向となるように、前記各ソケットは、前記蛍光ランプを鉛直側に起こした状態で、かつ各ソケットに接続された前記蛍光ランプの前記垂線がそれら蛍光ランプの各中心軸を結ぶ線に対して直交方向の側を向く状態で、自己に接続された前記蛍光ランプの各端子と１８０度回転対称で電気的に接続するように配置されているので、各ソケットに接続された蛍光ランプの垂線がそれら蛍光ランプの各中心軸を結ぶ線に対して平行方向の側を向く状態に比べ、アマルガムに対する温度差を抑制することができるから（図１７（ｂ）参照）、ソケットに対する蛍光ランプの装着状態の違いで、蛍光ランプの特性が変化するのを防止することができる。つまり、平行方向の側を向く状態では、アマルガムが温度の高い両蛍光ランプ間に位置することがあり、この場合、アマルガムに対する温度差が大きくなって、蛍光ランプの特性が変化するのであるが、平行方向の側を向く状態では、アマルガムが温度の高い両蛍光ランプ間に位置することがないので、アマルガムに対する温度差が大きくなることを防止することができる。
【００９８】
請求項４記載の発明は、少なくとも３以上の奇数回１８０度方向転換し一の方向に伸びる各部の軸が一の中心軸周りに位置するように屈曲した形状の発光管と、この発光管内部の両端の各々に設けられるフィラメントと、これらのフィラメント側で前記発光管を保持するベースと、このベースに設けられて前記発光管とは逆方向に突出し、前記発光管内部の両端のフィラメントとそれぞれ電気的に接続する２組の端子と、前記発光管内部に設けられるアマルガムとを備え、前記２組の端子に対する接続が１８０度回転対称の構造になっている蛍光ランプを点灯するための蛍光ランプ用照明器具であって、一の中心軸周りに少なくとも３つ並置されて前記蛍光ランプの各端子と１８０度回転対称で電気的に接続するソケットと、このソケットを介して前記蛍光ランプに点灯用の電力を供給する安定器とを備え、前記ソケットに対する前記蛍光ランプの回転状態が１８０度回転対称のいずれの回転状態であっても、前記蛍光ランプの一の中心軸への前記アマルガムの位置からの垂線の方向が前記アマルガムの温度を一定にするような方向となるように、前記各ソケットは、前記蛍光ランプを鉛直側に起こした状態で、かつ自己に隣接する２つのソケットに接続された前記蛍光ランプの各中心軸を結ぶ線に対し平行な方向の側に、自己に接続された前記蛍光ランプの前記垂線が向く状態で、自己に接続された前記蛍光ランプの各端子と１８０度回転対称で電気的に接続するように配置されているので、自己に隣接する２つのソケットに接続された蛍光ランプの各中心軸を結ぶ線に対し垂直な方向の側に、自己に接続された蛍光ランプの垂線が向く状態に比べ、アマルガムが温度の高い蛍光ランプ間に位置することがないので、アマルガムに対する温度差を抑制することができるから（図１８（ｂ），図１９（ｂ）参照）、ソケットに対する蛍光ランプの装着状態の違いで、蛍光ランプの特性が変化するのを防止することができる。
【図面の簡単な説明】
【図１】本発明に係る第１実施形態の蛍光ランプ用照明器具を示す図である。
【図２】４本管形状の蛍光ランプを示す図である。
【図３】６本管形状の蛍光ランプを示す図である。
【図４】８本管形状の蛍光ランプを示す図である。
【図５】４本管形状の蛍光ランプの具体構造を示す図である。
【図６】６本管形状の蛍光ランプの端子部の具体構造を示す図である。
【図７】８本管形状の蛍光ランプの端子部の具体構造を示す図である。
【図８】４本管形状の蛍光ランプ用のソケットを示す図である。
【図９】６本管および８本管形状の蛍光ランプ用のソケットを示す図である。
【図１０】第１実施形態の効果の説明図である。
【図１１】本発明に係る第２実施形態の蛍光ランプ用照明器具を示す図である。
【図１２】本発明に係る第３実施形態の蛍光ランプ用照明器具を示す図である。
【図１３】本発明に係る第４実施形態の蛍光ランプ用照明器具を示す図である。
【図１４】本発明に係る第５実施形態の蛍光ランプ用照明器具を示す図である。
【図１５】本発明に係る第６実施形態の蛍光ランプ用照明器具を示す図である。
【図１６】本発明に係る第７実施形態の蛍光ランプ用照明器具を示す図である。
【図１７】本発明に係る第８実施形態の蛍光ランプ用照明器具を示す図である。
【図１８】本発明に係る第９実施形態の蛍光ランプ用照明器具を示す図である。
【図１９】本発明に係る第１０実施形態の蛍光ランプ用照明器具を示す図である。
【図２０】アマルガム入りの蛍光ランプとアマルガム無しの蛍光ランプの周囲温度に対する光束の特性図である。
【符号の説明】
１，１Ａ，１Ｂ，１Ｃ  蛍光ランプ
１０  発光管
１１  フィラメント
１２  ベース
１３  端子
１４  アマルガム
２，２Ａ，２Ｂ  ソケット
３Ａ，３Ｂ，３Ｃ，３Ｄ，３Ｅ，３Ｆ，３Ｇ，３Ｈ，３Ｊ，３Ｋ  蛍光ランプ用照明器具
３０Ａ，３０Ｂ，３０Ｃ，３０Ｄ，３０Ｅ，３０Ｆ，３０Ｇ  ハウジング
３１Ａ，３１Ｂ，３１Ｄ，３１Ｅ  天板
３１Ｃ，３１Ｆ  ハウジング本体
３２Ａ  ソケット台部
３２Ｂ，３２Ｃ，３２Ｄ，３２Ｅ  ソケット台
３３Ａ，３３Ｂ，３３Ｅ，３３Ｆ，３３Ｇ  アルミ反射板
３３Ｃ，３３Ｄ  （樹脂製の）反射板
３４Ａ，３４Ｂ，３４Ｃ，３４Ｄ，３４Ｅ，３４Ｆ，３４Ｇ  枠
３５Ａ，３５Ｂ，３５Ｃ，３５Ｄ，３５Ｅ，３５Ｆ  吊り下げ金具
３６Ａ  取付板
３６Ｂ，３６Ｃ  吊り金具
４  安定器
５  取付金具
５Ａ  取付バネ
６  電線
７  端子台
９  天井ボード
【図１】
0003864819.tif 000002
【図２】
0003864819.tif 000003
【図３】
0003864819.tif 000004
【図４】
0003864819.tif 000005
【図５】
0003864819.tif 000006
【図６】
0003864819.tif 000007
【図７】
0003864819.tif 000008
【図８】
0003864819.tif 000009
【図９】
0003864819.tif 000010
【図１０】
0003864819.tif 000011
【図１１】
0003864819.tif 000012
【図１２】
0003864819.tif 000013
【図１３】
0003864819.tif 000014
【図１４】
0003864819.tif 000015
【図１５】
0003864819.tif 000016
【図１６】
0003864819.tif 000017
【図１７】
0003864819.tif 000018
【図１８】
0003864819.tif 000019
【図１９】
0003864819.tif 000020
【図２０】
0003864819.tif 000021